(57)【要約】【課題】受信した放送を端末にストリーミング転送する放送受信装置において、アンテナの調整を容易に行えるようにする。【解決手段】アンテナ１１の調整を開始するときと調整が終了したときとに押下されるプッシュ釦２６を備え、アンテナ１１の調整期間を検出できるようにしている。アンテナ１１の調整期間中は、放送データではなく、例えば無音データを端末に送信し、アンテナ１１の調整期間中には、端末で音が再生されないようにしている。【選択図】図１
2013085197.tif 000002
【特許請求の範囲】
【請求項１】
アンテナで放送を受信し、その放送内容を示す放送データをパケット化し、パケット化した放送データを端末に無線ＬＡＮを介してストリーミング送信する放送受信装置であって、
前記アンテナが調整されている期間を検出する調整期間検出部と、
前記ストリーミング送信中に前記調整期間検出部により前記アンテナが調整されている期間が検出された場合、前記アンテナが調整されている期間の少なくとも初めまたは終わりに前記ストリーミング送信中の放送データを前記放送データとは異なる所定のデータに代えて、または、前記放送データに前記所定のデータを加えて送信する送信制御部と、
を備えることを特徴とする放送受信装置。
【請求項２】
アンテナで放送を受信し、その放送内容を示す放送データをパケット化し、パケット化した放送データを端末に無線ＬＡＮを介してストリーミング送信し、前記端末で前記放送データをストリーミング再生させる放送受信装置であって、
前記アンテナが調整されている期間を検出する調整期間検出部と、
前記調整期間検出部により前記アンテナが調整されている期間が検出されている場合に前記端末に前記アンテナが調整されている期間が検出されていることを通知することにより、前記アンテナが調整されている期間に対応する期間で前記端末に前記放送データとは異なる所定データを再生させる通知部と、
を備えることを特徴とする放送受信装置。
【請求項３】
前記調整期間検出部は、押下されたことを検出することにより前記アンテナが調整されている期間を検出可能なプッシュ釦であることを特徴とする請求項１又は２に記載の放送受信装置。
【請求項４】
前記調整期間検出部は、触れられたことを検出することにより前記アンテナが調整されている期間を検出可能なタッチセンサであることを特徴とする請求項１又は２に記載の放送受信装置。
【請求項５】
前記調整期間検出部は、前記放送受信装置の振動を検出することにより前記アンテナが調整されている期間を検出可能な加速度センサであることを特徴とする請求項１又は２に記載の放送受信装置。
【請求項６】
前記調整期間検出部は、人の接近を検出することにより前記アンテナが調整されている期間を検出可能な人感センサであることを特徴とする請求項１又は２に記載の放送受信装置。
【請求項７】
前記アンテナでの前記放送の受信状態を検出する検出部と、
前記検出部の検出結果に基づき前記放送の受信状態がよくなるようにフィルタを制御する制御手段と、
を備え、
前記調整期間検出部は、前記検出部の検出結果に基づいて前記放送の受信状態が変動している期間を検出し、前記放送の受信状態が変動している期間を前記アンテナが調整されている期間として検出することを特徴とする請求項１又は２に記載の放送受信装置。
【請求項８】
アンテナで放送を受信し、その放送内容を示す放送データをパケット化し、パケット化した放送データを端末に無線ＬＡＮを介してストリーミング送信する放送受信方法であって、
前記アンテナが調整されている期間を検出する調整期間検出処理と、
前記ストリーミング送信中に前記調整期間検出処理により前記アンテナが調整されている期間が検出された場合、前記アンテナが調整されている期間の少なくとも初めまたは終わりに前記ストリーミング送信中の放送データを前記放送データとは異なる所定のデータに代えて、または、前記放送データに前記所定のデータを加えて送信する送信制御処理と、
を実施することを特徴とする放送受信方法。
【請求項９】
アンテナで放送を受信し、その放送内容を示す放送データをパケット化し、パケット化した放送データを端末に無線ＬＡＮを介してストリーミング送信し、前記端末で前記放送データをストリーミング再生させる放送受信方法であって、
前記アンテナが調整されている期間を検出する調整期間検出処理と、
前記調整期間検出処理により前記アンテナが調整されている期間が検出されている場合に前記端末に前記アンテナが調整されている期間が検出されていることを通知することにより、前記アンテナが調整されている期間に対応する期間で前記端末に前記放送データとは異なる所定データを再生させる通知処理と、
を実施することを特徴とする放送受信方法。
【発明の詳細な説明】
【技術分野】
【０００１】
本発明は、放送受信装置及び放送受信方法に関する。
【背景技術】
【０００２】
特許文献１には、ラジオ放送の放送波を受信し、放送をデジタルデータに変換して無線ＬＡＮを介してパーソナルコンピュータやスマートフォン等の端末にストリーミング送信し、端末で放送内容を再生させる放送受信装置が示されている。このように、放送受信装置で放送波を受信しつつ、端末で放送内容を再生させる方式では、放送波の届かない場所でも放送内容を聴くことが可能になる。
【先行技術文献】
【特許文献】
【０００３】
【特許文献１】特開２０１０−１３０３７０号公報
【発明の概要】
【発明が解決しようとする課題】
【０００４】
しかしながら、特許文献１の放送受信装置は、放送波を受信しつつ、放送内容をデジタルデータに変換して一定量保持し、保持したデータから端末に送信するデータを生成するので、放送波に対して端末に送信するデータが遅延する。また、端末側でも、放送受信装置から与えられたデータを一定量保持し、保持したデータから再生用の信号を生成するので、受信装置から与えられたデータに対して端末から出力される音声が遅延する。更に、無線ＬＡＮにおける遅延も発生する。そのため、放送受信装置で受信する放送波と端末で再生する放送内容との間にタイムラグが存在することになる。
【０００５】
タイムラグが例えば５秒である場合、アンテナの調整を行うと、その結果が反映された音声が端末から出力されるのは５秒後である。ユーザーは、どの時点の音声からアンテナの調整が反映された音声なのか、即座に判断できない。そのため、タイムラグが存在する状況でアンテナの角度や向きの調整を行うことは、容易ではなかった。
【０００６】
本発明は、放送を受信してから放送が再生されるまでのタイムラグがあっても、容易にアンテナの調整ができる放送受信装置及び放送受信方法を提供することを目的とする。
【課題を解決するための手段】
【０００７】
上記目的を達成するために、本発明の第１の観点に係る放送受信装置は、
アンテナで放送を受信し、その放送内容を示す放送データをパケット化し、パケット化した放送データを端末に無線ＬＡＮを介してストリーミング送信する放送受信装置であって、
前記アンテナが調整されている期間を検出する調整期間検出部と、
前記ストリーミング送信中に前記調整期間検出部により前記アンテナが調整されている期間が検出された場合、前記アンテナが調整されている期間の少なくとも初めまたは終わりに前記ストリーミング送信中の放送データを前記放送データとは異なる所定のデータに代えて、または、前記放送データに前記所定のデータを加えて送信する送信制御部と、
を備えることを特徴とする。
【０００８】
上記目的を達成するために、本発明の第２の観点に係る放送受信装置は、
アンテナで放送を受信し、その放送内容を示す放送データをパケット化し、パケット化した放送データを端末に無線ＬＡＮを介してストリーミング送信し、前記端末で前記放送データをストリーミング再生させる放送受信装置であって、
前記アンテナが調整されている期間を検出する調整期間検出部と、
前記調整期間検出部により前記アンテナが調整されている期間が検出されている場合に前記端末に前記アンテナが調整されている期間が検出されていることを通知することにより、前記アンテナが調整されている期間に対応する期間で前記端末に前記放送データとは異なる所定データを再生させる通知部と、
を備えることを特徴とする。
【０００９】
尚、本発明の第１及び第２の観点に係る放送受信装置において、前記調整期間検出部は、押下されたことを検出することにより前記アンテナが調整されている期間を検出可能なプッシュ釦であってもよい。
【００１０】
また、前記調整期間検出部は、触れられたことを検出することにより前記アンテナが調整されている期間を検出可能なタッチセンサであってもよい。
【００１１】
また、前記調整期間検出部は、前記放送受信装置の振動を検出することにより前記アンテナが調整されている期間を検出可能な加速度センサであってもよい。
【００１２】
また、前記調整期間検出部は、人の接近を検出することにより前記アンテナが調整されている期間を検出可能な人感センサであってもよい。
【００１３】
また、前記アンテナでの前記放送の受信状態を検出する検出部と、
前記検出部の検出結果に基づき前記放送の受信状態がよくなるようにフィルタを制御する制御部と、
を備え、
前記調整期間検出部は、前記検出部の検出結果に基づいて前記放送の受信状態が変動している期間を検出し、前記放送の受信状態が変動している期間を前記アンテナが調整されている期間として検出してもよい。
【００１４】
上記目的を達成するために、本発明の第３の観点に係る放送受信方法は、
アンテナで放送を受信し、その放送内容を示す放送データをパケット化し、パケット化した放送データを端末に無線ＬＡＮを介してストリーミング送信する放送受信方法であって、
前記アンテナが調整されている期間を検出する調整期間検出処理と、
前記ストリーミング送信中に前記調整期間検出処理により前記アンテナが調整されている期間が検出された場合、前記アンテナが調整されている期間の少なくとも初めまたは終わりに前記ストリーミング送信中の放送データを前記放送データとは異なる所定のデータに代えて、または、前記放送データに前記所定のデータを加えて送信する送信制御処理と、
を実施することを特徴とする。
【００１５】
上記目的を達成するために、本発明の第４の観点に係る放送受信方法は、
アンテナで放送を受信し、その放送内容を示す放送データをパケット化し、パケット化した放送データを端末に無線ＬＡＮを介してストリーミング送信し、前記端末で前記放送データをストリーミング再生させる放送受信方法であって、
前記アンテナが調整されている期間を検出する調整期間検出処理と、
前記調整期間検出処理により前記アンテナが調整されている期間が検出されている場合に前記端末に前記アンテナが調整されている期間が検出されていることを通知することにより、前記アンテナが調整されている期間に対応する期間で前記端末に前記放送データとは異なる所定データを再生させる通知処理と、
を実施することを特徴とする。
【発明の効果】
【００１６】
本発明によれば、放送を受信してから放送が再生されるまでのタイムラグがあっても、容易にアンテナの調整ができる。
【図面の簡単な説明】
【００１７】
【図１】本発明の第１の実施形態に係る放送受信装置を示す構成図である。
【図２】放送受信装置と無線ＬＡＮルータと端末とを示す図である。
【図３】図１中の同調回路の一例を示す構成図である。
【図４】図１中の復調回路の一例であるダイオード検波回路を示す図である。
【図５】パケットの構造を示す図である。
【図６】放送受信装置の動作を示すフローチャートである。
【図７】放送波に含まれる放送データと再生される放送データとの間の遅延時間を示す図である。
【図８】アンテナの調整期間が含まれる場合の放送波の放送データと再生される放送データとを示す図である。
【図９】放送受信装置から端末に送信する放送データと端末で再生される放送データとを示す図である。
【図１０】本発明の第２の実施形態に係る放送受信装置を示す構成図である。
【図１１】本発明の第３の実施形態に係る放送受信装置を示す構成図である。
【図１２】本発明の第４の実施形態に係る放送受信装置を示す構成図である。
【図１３】本発明の第５の実施形態に係る放送受信装置を示す構成図である。
【図１４】本発明の第６の実施形態に係る放送受信装置の概要を示す構成図である。
【図１５】本発明の第７の実施形態に係る放送受信装置の概要を示す構成図である。
【発明を実施するための形態】
【００１８】
以下、図面に基づき、本発明の実施の形態について詳細に説明する。
【００１９】
［第１の実施形態］
図１に示されている放送受信装置１００は、ＡＭラジオ放送を受信する装置であり、受信した放送波を放送内容を示す放送データに変換し、図２に示すように、放送データを無線ＬＡＮルータ１１０を経由して端末１２０に無線でストリーミング送信する。放送データを受信した端末１２０は、放送内容をストリーミング再生して出力する。なお、本実施形態では、ＡＭラジオ放送を受信する放送受信装置１００を例にとって説明するが、ＦＭラジオ放送を受信する放送受信装置であっても、また、ＡＭラジオ放送及びＦＭラジオ放送の両方を切り替えて受信する放送受信装置であってもよい。
【００２０】
端末１２０は、持ち運び可能なノート型のパーソナルコンピュータやスマートフォンなどで構成することができる。
【００２１】
放送受信装置１００は、図１に示すように、アンテナ１１を備えている。
アンテナ１１は方向や長さを調整できるように、例えば放送受信装置１００の筐体に取付けられている。
アンテナ１１には、同調回路１２の入力端子が接続されている。
同調回路１２は、フィルタとして機能し、アンテナ１１で受信する電波から目的の放送波を抽出（選局）し、目的の放送波を高周波信号Ｓ１２に変換して出力する。
【００２２】
同調回路１２は、図３に示すように、コイル１２ａを備えている。コイル１２ａの一端は、同調回路１２の入力端子を構成し、アンテナ１１に接続されている。コイル１２ａの他端は、フレームグランドに接続されている。コイル１２ａの一端にはコンデンサ１２ｂの一方の電極が接続されると共に、バラクタダイオード１２ｃのアノードが接続されている。コンデンサ１２ｂの他方の電極はフレームグランドに接続されている。
【００２３】
バラクタダイオード１２ｃのカソードには、バラクタダイオード１２ｄのカソードが接続され、バラクタダイオード１２ｄのアノードがフレームグランドに接続されている。バラクタダイオード１２ｃのカソード及びバラクタダイオード１２ｄのカソードの接続点には、後述する制御電圧Ｖｃ１が与えられる。バラクタダイオード１２ｃのアノードが同調回路１２の出力端子となっている。
【００２４】
同調回路１２は、コイル１２ａのインダクタンスと、コンデンサ１２ｂのキャパシタンスと、バラクタダイオード１２ｃ，１２ｄの合成キャパシタンスとで定まる同調周波数で共振し、アンテナ１１で受信した電波から同調周波数と同じ周波数の成分を抽出して電気信号の高周波信号Ｓ１２に変換して出力する。
同調回路１２の同調周波数Ｆは、アンテナ１１及びコイル１２ａの合成インダクタンスをＬ、コンデンサ１２ｂのキャパシタンスをＣ１、バラクタダイオード１２ｃ，１２ｄの合成キャパシタンスをＣ２とすると、
Ｆ＝１／（２π√（Ｌ（Ｃ１＋Ｃ２））
となる。
【００２５】
ここで、バラクタダイオード１２ｃ，１２ｄの合成キャパシタンスＣ２は、制御電圧Ｖｃ１の電圧に基づいて変化するので、制御電圧Ｖｃ１の電圧変化に応じて同調周波数Ｆが変化し、抽出する電波の周波数が変化する。
【００２６】
同調回路１２の出力端子には、高周波増幅器１３の入力端子が接続されている。高周波増幅器１３は、高周波信号Ｓ１２を増幅し、高周波信号Ｓ１２を増幅した高周波信号Ｓ１３を出力する。
【００２７】
高周波増幅器１３の出力端子には、２入力の混合器１４の一方の入力端子が接続されている。混合器１４の他方の入力端子には、発振器１５の出力端子が接続されている。発振器１５は、与えられた制御電圧Ｖｃ２に応じた周波数で発振する。混合器１４は、高周波増幅器１３から与えられた高周波信号Ｓ１３に発振器１５の出力する信号とを混合する。
【００２８】
混合器１４の出力端子には、フィルタ１６の入力端子が接続されている。フィルタ１６は、混合器１４の出力信号Ｓ１４に対して濾波を行い、高周波信号Ｓ１３の周波数と発振器１５の発振周波数との差の周波数を持つ中間周波数信号Ｓ１６を抽出する。
【００２９】
フィルタ１６の出力端子には、中間周波増幅器１７の入力端子が接続されている。中間周波増幅器１７は、中間周波数信号Ｓ１６を増幅する。
【００３０】
中間周波増幅器１７の出力端子には、復調回路１８の入力端子が接続されている。復調回路１８は、中間周波増幅器１７の出力信号から、目的の放送の放送内容を示す信号Ｓ１８を抽出する。
【００３１】
図４に示される復調回路１８の一例としてのダイオード検波回路は、入力端子ＩＮ３に一端が接続された抵抗１８ａと、抵抗１８ａの他端にカソードが接続されたダイオード１８ｂと、ダイオード１８ｂのアノードにカソードが接続されたダイオート１８ｃと、ダイオード１８ｃのアノードとダイオード１８ｂのカソードとの間に接続された抵抗１８ｄと、演算増幅器１８ｅと、平滑用コンデンサ１８ｆを備えている。
【００３２】
演算増幅器１８ｅの反転入力端子（−）は、ダイオード１８ｂのカソードに接続され、演算増幅器１８ｅの非反転入力端子（＋）は、グランドに接続されている。演算増幅器１８ｅの出力端子は、ダイオード１８ｂのアノードに接続されている。ダイオード１８ｃのアノードが出力端子ＯＵＴ３に接続されている。出力端子ＯＵＴ３とグランドとの間に、平滑用コンデンサ１８ｆが接続されている。
【００３３】
このダイオード検波回路では、入力電圧Ｖｉが負のときに、ダイオード１８ｂに順電圧が加わり、ダイオード１８ｃに逆電圧が加わるので、出力電圧Ｖｏは零となる。また、入力電圧Ｖｉが正のときには、ダイオード１８ｂに逆電圧が加わり、ダイオード１８ｃに順電圧が加わるので、抵抗１８ａの抵抗値をＲａ、抵抗１８ｄの抵抗値をＲｄとすると、出力電圧Ｖｏは、−Ｒａ／Ｒｄ・Ｖｉとなる。即ち、入力電圧Ｖｉに比例した電圧になる。
尚、復調回路１８としては、ダイオード検波回路以外にも、同期検波回路が用いられても良い、また、ＦＭ放送を受信する放送受信装置の場合には、ＰＬＬ復調器等が用いられる。
【００３４】
復調回路１８の出力端子には、アナログデジタル変換回路（以下、ＡＤＣという）１９の入力端子が接続されている。ＡＤＣ１９は、与えられたクロックに同期して復調回路１８の出力する信号Ｓ１８をサンプリングし、デジタルデータに変換する。
【００３５】
ＡＤＣ１９の出力端子には、バッファ２０の入力端子が接続されている。バッファ２０は、ＡＤＣ１９の出力するデジタルデータを、与えられたクロックに同期して順次取り込み保持する。
【００３６】
バッファ２０には、ＣＰＵ（Central Processing Unit）２１が接続されている。
ＣＰＵ２１には、ＲＡＭ（Random Access Memory）及びＲＯＭ（Read Only Memory）で構成された記憶部２２が接続されている。
ＣＰＵ２１は、記憶部２２に事前に記憶されたデータ及び記憶部２２の記憶領域を利用して放送受信装置１００の全体を制御する。
【００３７】
ＣＰＵ２１には、デジタルアナログ変換回路（以下、ＤＡＣという）２３が接続されている。ＣＰＵ２１は、制御電圧Ｖｃ１の電圧値を設定するために後述する選局情報と対応させて記憶部２２に記憶させてあるデータを読み出し、ＤＡＣ２３に与える。ＤＡＣ２３は、ＣＰＵ２１から与えられたデータをアナログの制御電圧Ｖｃ１に変換して同調回路１２に供給する。これにより、同調回路１２の同調周波数Ｆを選局情報に対応させて変化させることができる。
【００３８】
ＣＰＵ２１には、ＤＡＣ２４が接続されている。ＣＰＵ２１は、制御電圧Ｖｃ２の電圧値を設定するために選局情報と対応させて記憶部２２に記憶させてあるデータを読み出し、ＤＡＣ２４に与える。ＤＡＣ２４は、ＣＰＵ２１から与えられたデータをアナログの制御電圧Ｖｃ２に変換して発振器１５に与える。これにより、発振器１５の発振周波数を選局情報に対応させて変化させることができる。また、ＣＰＵ２１は、ＡＤＣ１９及びバッファ２０に対してクロックを供給する。
【００３９】
ＣＰＵ２１には、無線ＬＡＮ制御部２５が接続されている。
ＣＰＵ２１は、バッファ２０に保持されているデータを放送データとして読み出し、ＲＴＰ（Real-time Transport Protocol）に対応したパケットに組込み、無線ＬＡＮ制御部２５に与える。
【００４０】
無線ＬＡＮ制御部２５は、放送データが組込まれたパケットを、ＩＥＥＥ８０２．１１に準拠した無線通信で無線ＬＡＮルータ１１０を経由して端末１２０に送信する。
【００４１】
ＣＰＵ２１は、さらに、端末１２０に対して放送データ以外の制御情報も送受信する機能を有する。端末１２０に対して放送データ以外の制御情報を送信する場合、ＣＰＵ２１は、端末１２０に送信する制御情報をＴＣＰ（Transmission Control Protocol）に対応したパケットに組込み、無線ＬＡＮ制御部２５に与える。無線ＬＡＮ制御部２５は、制御情報が組込まれたパケットをＩＥＥＥ８０２．１１に準拠した無線通信で無線ＬＡＮルータ１１０を経由して端末１２０に送信する。無線ＬＡＮ制御部２５は、端末１２０から制御情報が組込まれたパケットを受信した場合、受信したパケットをＣＰＵ２１に転送する。端末１２０から受信する制御情報には、受信の開始指示や、受信の終了指示や、放送の選局情報等がある。
【００４２】
放送受信装置１００には、アンテナ１１が調整されていることを検出するための手段としてプッシュ釦２６が設けられている。プッシュ釦２６は、放送受信装置１００の筐体に設けられ、ユーザがプッシュ釦２６を押下することができるようになっている。プッシュ釦２６は、ＣＰＵ２１に接続され、プッシュ釦２６が押下されたことをＣＰＵ２１が検知できるようになっている。
【００４３】
次に、放送受信装置１００の動作を説明する。
放送を受信するために、ユーザは端末１２０を操作し、受信目的の放送を指定する。端末１２０は、ユーザに指定された目的の放送に対応する選局情報を制御情報としてパケット化し、無線ＬＡＮルータ１１０を経由して無線ＬＡＮ制御部２５に送信する。無線ＬＡＮ制御部２５は、受信したパケットをＣＰＵ２１に転送する。
【００４４】
ＣＰＵ２１は、無線ＬＡＮ制御部２５から受けたパケットに含まれる選局情報に対応して記憶部２２に記憶されている、制御電圧Ｖｃ１の電圧値を設定するためのデータを読み出し、ＤＡＣ２３に与える。
【００４５】
これと同時にＣＰＵ２１は、無線ＬＡＮ制御部２５から受けたパケットに含まれる選局情報に対応して記憶部２２に記憶されている、制御電圧Ｖｃ２の電圧値を設定するためのデータを読み出し、ＤＡＣ２４に与える。
【００４６】
ＤＡＣ２３は、ＣＰＵ２１から与えられたデータをアナログの制御電圧Ｖｃ１に変換して同調回路１２に供給する。これにより、同調回路１２の同調周波数Ｆが、選局情報に対応した周波数になる。同調回路１２は、同調周波数Ｆに等しい周波数の放送を抽出し、抽出した放送を電気信号の高周波信号Ｓ１２に変換する。
【００４７】
ＤＡＣ２４は、ＣＰＵ２１から与えられたデータをアナログの制御電圧Ｖｃ２に変換して発振器１５に供給する。これにより、発振器１５は、選局情報に応じた周波数で発振する。
【００４８】
高周波増幅器１３は、同調回路１２の出力する高周波信号Ｓ１２を増幅する。混合器１４は、高周波増幅器１３の出力する高周波信号Ｓ１３に発振器１５の出力する信号とを混合する。
【００４９】
フィルタ１６は、混合器１４の出力信号Ｓ１４に対して濾波を行い、信号Ｓ１４から、高周波信号Ｓ１３の周波数と発振器１５の発振周波数との差の周波数を持つ中間周波数信号Ｓ１６を抽出する。
【００５０】
中間周波増幅器１７は、中間周波数信号Ｓ１６を増幅し、中間周波数信号Ｓ１６を増幅した信号Ｓ１７を出力する。
復調回路１８は、中間周波増幅器１７の出力信号Ｓ１７を検波し、目的の放送の放送内容を示す信号Ｓ１８を抽出する。
【００５１】
ＡＤＣ１９は、ＣＰＵ２１から与えられるクロックに同期して復調回路１８の出力する信号Ｓ１８をサンプリングして、デジタルデータに変換する。バッファ２０は、ＣＰＵ２１から与えられるクロックに同期してＡＤＣ１９の出力するデジタルデータを順次取り込み保持する。
【００５２】
ＣＰＵ２１は、バッファ２０に保持されているデジタルデータを放送データとして読み出し、端末１２０に送信するためのパケットを形成する。
図５に示されるように、パケットでは、放送データの先頭にＲＴＰヘッダ、ＵＤＰヘッダ、ＩＰヘッダ、ＭＡＣヘッダが順に取付けられ、放送データの末尾に誤り検出用のＦＣＳ（Frame Check Sequence ）が取付けられる。
【００５３】
ＣＰＵ２１は、形成したパケットを無線ＬＡＮ制御部２５に与える。無線ＬＡＮ制御部２５は、放送データが組込まれたパケットを、ＩＥＥＥ８０２．１１に準拠した無線通信で無線ＬＡＮルータ１１０を経由して端末１２０に送信する。以上により、放送データが端末１２０にストリーミング送信される。放送データを受信した端末１２０は、放送データを再生して出力する。
【００５４】
図６は、放送受信装置１００の動作を示すフローチャートである。
放送受信装置１００は、端末１２０から受信の開始の指示があった場合に受信を開始し（ステップＳＴ１）、選局情報に従い放送波を受信し、端末１２０に放送データを送信する（ステップＳＴ２）。
【００５５】
ユーザがアンテナ１１の調整を行う場合、調整の開始時にプッシュ釦２６を押下する。これにより、放送受信装置１００は、アンテナ１１の調整の開始を検出することができる。アンテナ１１の調整の開始を検出した場合（ステップＳＴ３：ＹＥＳ）、ＣＰＵ２１は、アンテナ１１の調整されている期間には、端末１２０に送信するパケットに、放送データではなく、再生したときに例えば無音となる無音データを組込み、無線ＬＡＮ制御部２５に与え、無線ＬＡＮルータ１１０を経由して端末１２０に送信する（ステップＳＴ４）。無音データを受信した端末１２０は、無音データを再生するので音声を発生しない。
【００５６】
また、アンテナ１１の調整が終了したときに、ユーザはプッシュ釦２６を押下する。これにより、ＣＰＵ２１は、アンテナ１１の調整の終了を検知することができる（ステップＳＴ５）。ＣＰＵ２１は、アンテナ１１の調整の終了を検知しない場合には（ステップＳＴ５：ＮＯ）、継続して端末１２０に無音データを送信する（ステップＳＴ４）。ＣＰＵ２１は、アンテナ１１の調整されている期間の終了を検知した場合には（ステップＳＴ５：ＹＥＳ）、無音データの送信を終了し（ステップＳＴ６）、処理をステップＳＴ２に戻して放送データの送信を再開する。なお、この場合、放送データの送信は無音データを送信する間、中断することになる。ＣＰＵ２１は、放送データの送信を再開した時点でバッファに保持されている最も古いデジタルデータを放送データとして読み出し、端末１２０に送信するためのパケットを形成してもよいし、最も新しいデジタルデータを放送データとして読み出し、端末１２０に送信するためのパケットを形成してもよい。すなわち、放送データの送信中断中に送信すべきだったデータ（中断前の続き）を送信してもよいし、放送データの送信中断中に送信すべきだったデータを破棄してもよい。
【００５７】
アンテナ１１の調整の開始を検出しない場合（ステップＳＴ３：ＮＯ）において、端末１２０から受信の終了の指示が与えられた場合（ステップＳＴ７：ＹＥＳ）、受信を終了する。端末１２０から受信の終了の指示が与えられない場合（ステップＳＴ７：ＮＯ）、処理をステップＳＴ２に戻して放送データの送信を行う。
【００５８】
次に、本実施形態の利点を説明する。
図７は、放送波に含まれる放送データと再生される放送データとの間の遅延時間を示す図である。
【００５９】
アンテナ１１を介して受信する放送波に含まれる放送データに対して、図７に示されるように、端末１２０で再生される放送データは遅延する。この遅延は、バッファ２０で放送データを一定量保持し、保持した放送データから端末１２０に送信するパケットを生成する等の処理で発生する。
【００６０】
このように端末１２０で再生される放送データに遅延がある場合、図８に示すようにアンテナ１１の調整を行うと、アンテナ１１の調整が終わった後の音がどこから始まったのかユーザにはわかりづらい。そのため、アンテナ１１の調整が困難である。
【００６１】
これに対し、本実施形態の放送受信装置１００は、アンテナ１１の調整期間に図９に示すように、無音データを端末１２０に送信し、端末１２０に音を発生させないようにしている。そのため、ユーザにアンテナ１１の調整が終わった後の音がどこから始まったのかを明確に知らせることができ、アンテナ１１の調整が容易である。
【００６２】
なお、アンテナ１１の調整されている期間に、無音データを端末１２０に送信するようにしたが、正弦波やビープ音やメロディ音や音声メッセージなど予め決められた音を表すデータを端末１２０に送信し、端末１２０でその予め決められた音を再生するようにしてもよい。
【００６３】
また、アンテナ１１の調整の開始時と終了時とに、正弦波やビープ音やメロディ音や音声メッセージなど予め決められた音を表すデータを端末１２０に送信し、端末１２０でその予め決められた音を再生するようにしてもよい。
【００６４】
また、アンテナ１１の調整されている期間を検出した場合に、ＣＰＵ２１が、アンテナ１１の調整中であることを示す制御情報を組込んだ、ＴＣＰに対応したパケットを形成して端末１２０に送信し、端末１２０側の処理で無音や正弦波やビープ音やメロディ音や音声メッセージなど予め決められた音を発生させるようにしてもよい。或いは、端末１２０がディスプレイ等の表示手段を有する場合には、アンテナ１１の調整期間中にその表示手段に、アンテナ１１が調整中であることを表示するようにしてもよい。
【００６５】
また、本実施形態の放送受信装置１００は、放送データに混合して、アンテナ１１の調整中であることを示す制御情報を送信してもよい。端末１２０は、放送データを正弦波やビープ音やメロディ音や音声メッセージなど予め決められた音やアンテナ１１が調整中であることを示す表示と混合して再生してもよい。
【００６６】
また、上述の例ではユーザが調整の開始時と、終了時にそれぞれプッシュ釦２６を押下することにより、ＣＰＵ２１が、アンテナ１１の調整の開始と終了を検知するようにしたが、ＣＰＵ２１はプッシュ釦２６が押下されている間をアンテナ１１の調整されている期間として検出してもよい。この場合、ユーザが調整の開始時から終了時までプッシュ釦２６を押下しつづけることになる。
【００６７】
また、プッシュ釦２６を、放送受信装置１００を設置したときに放送受信装置１００が床と触れる面に配置し、ＣＰＵ２１はプッシュ釦２６の押下が解除されている間をアンテナ１１の調整されている期間として検出してもよい。この場合、例えばユーザがアンテナ１１を調整するために放送受信装置１００の向きを変更しようとして、放送受信装置１００を持ち上げると、プッシュ釦２６の押下が解除されることになる。
【００６８】
［第２の実施形態］
図１０に示される放送受信装置１３０は、第１の実施形態の放送受信装置１００のプッシュ釦２６をタッチセンサ２７に置換したものであり、他の構成は放送受信装置１００と同様である。
【００６９】
この放送受信装置１３０では、ユーザがアンテナ１１を調整する場合に、調整の開始時にタッチセンサ２７に手を触れる。また、アンテナ１１の調整が終了したときに、ユーザはタッチセンサ２７に手を触れる。これにより、ＣＰＵ２１は、アンテナ１１の調整されている期間を検知することができる。
【００７０】
放送波を受信して放送データを端末１２０にストリーミング送信する動作、及びアンテナ１１の調整されている期間を検出した場合の動作は、第１の実施形態の放送受信装置１００と同様であり、第１の実施形態と同様の利点を有する。
【００７１】
なお、本実施形態では、アンテナ１１の調整されている期間に、無音データを端末１２０に送信するようにしたが、無音データの代わりに正弦波やビープ音やメロディ音や音声メッセージなど予め決められた音を表すデータを端末１２０に送信し、端末１２０でその予め決められた音を再生するようにしてもよい。
【００７２】
また、アンテナ１１の調整の開始時と終了時とに、無音や正弦波やビープ音やメロディ音や音声メッセージなど予め決められた音を表すデータを端末１２０に送信し、端末１２０でその予め決められた音を再生するようにしてもよい。
【００７３】
また、アンテナ１１の調整されている期間を検出した場合に、ＣＰＵ２１が、アンテナ１１の調整中であることを示す制御情報を組込んだ、ＴＣＰに対応したパケットを形成して端末１２０に送信し、端末１２０側の処理で無音や正弦波やビープ音やメロディ音や音声メッセージなど予め決められた音を発生させるようにしてもよい。或いは、端末１２０がディスプレイ等の表示手段を有する場合には、アンテナ１１の調整期間中にその表示手段に、アンテナ１１が調整中であることを表示するようにしてもよい。
【００７４】
また、本実施形態の放送受信装置１３０は、放送データに混合して、アンテナ１１の調整中であることを示す制御情報を送信してもよい。端末１２０は、放送データを正弦波やビープ音やメロディ音や音声メッセージなど予め決められた音やアンテナ１１が調整中であることを示す表示と混合して再生してもよい。
【００７５】
また、ユーザがアンテナ１１の調整の開始時と、終了時にそれぞれタッチセンサ２７に触れることにより、ＣＰＵ２１が、アンテナ１１の調整の開始と終了を検知するようにしたが、ＣＰＵ２１は、ユーザがタッチセンサ２７に触れている期間をアンテナ１１の調整されている期間として検出してもよい。この場合、ユーザが調整の開始時から終了時までタッチセンサ２７に触れ続けることになる。
【００７６】
［第３の実施形態］
図１１に示される放送受信装置１４０は、第１の実施形態の放送受信装置１００のプッシュ釦２６を加速度センサ２８に置換したものであり、他の構成は放送受信装置１００と同様である。
【００７７】
加速度センサ２８は、放送受信装置１４０の振動等を検知することができる。ユーザがアンテナ１１を調整する場合に、放送受信装置１４０が振動し、加速度センサ２８がその振動を検出する。検出結果は、ＣＰＵ２１に送られる。ＣＰＵ２１は、加速度センサ２８が放送受信装置１４０の振動を検出している期間を、アンテナ１１の調整期間として検出する。
【００７８】
放送波を受信して放送データを端末１２０にストリーミング送信する動作、及びアンテナ１１の調整されている期間を検出した場合の動作は、第１の実施形態の放送受信装置１００と同様であり、第１の実施形態と同様の利点を有する。
【００７９】
なお、本実施形態では、アンテナ１１の調整されている期間に、無音データを端末１２０に送信するようにしたが、無音データの代わりに正弦波やビープ音やメロディ音や音声メッセージなど予め決められた音を表すデータを端末１２０に送信し、端末１２０でその予め決められた音を再生するようにしてもよい。
【００８０】
また、アンテナ１１の調整の開始時と終了時とに、無音や正弦波やビープ音やメロディ音や音声メッセージなど予め決められた音を表すデータを端末１２０に送信し、端末１２０でその予め決められた音を再生するようにしてもよい。
【００８１】
また、アンテナ１１の調整されている期間を検出した場合に、ＣＰＵ２１が、アンテナ１１の調整中であることを示す制御情報を組込んだ、ＴＣＰに対応したパケットを形成して端末１２０に送信し、端末１２０側の処理で無音や正弦波やビープ音やメロディ音や音声メッセージなど予め決められた音を発生させるようにしてもよい。或いは、端末１２０がディスプレイ等の表示手段を有する場合には、アンテナ１１の調整期間中にその表示手段に、アンテナ１１が調整中であることを表示するようにしてもよい。
【００８２】
また、本実施形態の放送受信装置１４０は、放送データに混合して、アンテナ１１の調整中であることを示す制御情報を送信してもよい。端末１２０は、放送データを正弦波やビープ音やメロディ音や音声メッセージなど予め決められた音やアンテナ１１が調整中であることを示す表示と混合して再生してもよい。
【００８３】
［第４の実施形態］
図１２に示される放送受信装置１５０は、第１の実施形態の放送受信装置１００のプッシュ釦２６を人感センサ２９に置換したものであり、他の構成は放送受信装置１００と同様である。
【００８４】
人感センサ２９は、放送受信装置１５０の近くに人がいることを検出し、ＣＰＵ２１に知らせることができる。ＣＰＵ２１は、人感センサ２９が放送受信装置１５０の近くに人がいることを検出している期間をアンテナ１１の調整期間として検出する。
【００８５】
放送波を受信して放送データを端末１２０にストリーミング送信する動作、及びアンテナ１１の調整期間を検出した場合の動作は、第１の実施形態の放送受信装置１００と同様であり、第１の実施形態と同様の利点を有する。また、人感センサ２９は、放送受信装置１５０にユーザが近づくだけで、アンテナ１１の調整期間を検出できるので、プッシュ釦２６のように、押下しなくてもよい。
【００８６】
なお、本実施形態では、アンテナ１１の調整されている期間に、無音データを端末１２０に送信するようにしたが、無音データの代わりに正弦波やビープ音やメロディ音や音声メッセージなど予め決められた音を表すデータを端末１２０に送信し、端末１２０でその予め決められた音を再生するようにしてもよい。
【００８７】
また、アンテナ１１の調整の開始時と終了時とに、無音や正弦波やビープ音やメロディ音や音声メッセージなど予め決められた音を表すデータを端末１２０に送信し、端末１２０でその予め決められた音を再生するようにしてもよい。
【００８８】
また、アンテナ１１の調整されている期間を検出した場合に、ＣＰＵ２１が、アンテナ１１の調整中であることを示す制御情報を組込んだ、ＴＣＰに対応したパケットを形成して端末１２０に送信し、端末１２０側の処理で無音や正弦波やビープ音やメロディ音や音声メッセージなど予め決められた音を発生させるようにしてもよい。或いは、端末１２０がディスプレイ等の表示手段を有する場合には、アンテナ１１の調整期間中にその表示手段に、アンテナ１１が調整中であることを表示するようにしてもよい。
【００８９】
また、本実施形態の放送受信装置１５０は、放送データに混合して、アンテナ１１の調整中であることを示す制御情報を送信してもよい。端末１２０は、放送データを正弦波やビープ音やメロディ音や音声メッセージなど予め決められた音やアンテナ１１が調整中であることを示す表示と混合して再生してもよい。
【００９０】
［第５の実施形態］
図１３に示されている放送受信装置１６０は、第１の実施形態の放送受信装置１００のプッシュ釦２６の代わりに、中間周波増幅器１７の出力信号Ｓ１７のレベルを検出し、ＣＰＵ２１に与える受信強度検出部３０を備えている。他の構成は、放送受信装置１００と同様である。
【００９１】
この放送受信装置１６０では、中間周波増幅器１７の出力信号Ｓ１７の振幅レベルが受信強度検出部３０により検出され、ＣＰＵ２１に与えられる。ＣＰＵ２１は、中間周波増幅器１７の出力信号Ｓ１７が最大値になるように、ＤＡＣ２３を介して同調回路１２に与える制御電圧Ｖｃ１を変化させる。これにより、同調回路１２のバラクタダイオード１２ｃ，１２ｄのキャパシタンスが変化し、同調回路１２の同調周波数が微調整され、同調回路１２の出力信号Ｓ１２が最大となるように制御され、同調回路１２の容量のばらつきや環境によって変化する受信周波数のずれを吸収して安定化する。記憶部２２は、ユーザがアンテナ１１に触れていないときの制御電圧Ｖｃ１を予め記憶している。また、記憶部２２はユーザがアンテナ１１に触れていないときの制御電圧Ｖｃ１を所定の条件で更新する。
【００９２】
ユーザがアンテナ１１の調整をするために、アンテナ１１に触れると、アンテナ１１のインダクタンスが変化する。これにより、同調回路１２の出力信号Ｓ１２のレベルが変化し、受信強度検出部３０の検出結果も変化する。このとき、ＣＰＵ２１は中間周波増幅器１７の出力信号Ｓ１７が最大値になるように、ＤＡＣ２３を介して同調回路１２に与える制御電圧Ｖｃ１を変化させることになる。ＣＰＵ２１は、ＤＡＣ２３を介して同調回路１２に与える制御電圧Ｖｃ１と、記憶部２２に記憶しているユーザがアンテナ１１に触れていないときの制御電圧Ｖｃ１と、を比較することにより、制御電圧Ｖｃ１の変化している期間を検出する。
【００９３】
ＣＰＵ２１は、制御電圧Ｖｃ１が変化している期間をアンテナ１１の調整期間であるとして検出する。ＣＰＵ２１は、同調回路１２に与える制御電圧Ｖｃ１と、記憶部２２に記憶しているユーザがアンテナ１１に触れていないときの制御電圧Ｖｃ１とを比較し、電圧の差が所定のしきい値以上の場合に、アンテナ１１の調整期間であると判断する。ＣＰＵ２１は、制御電圧Ｖｃ１のゆらぎによる誤判定をさけるために、同調回路１２に与える制御電圧Ｖｃ１と、記憶部２２に記憶している制御電圧Ｖｃ１との電圧の差が所定のしきい値以上でかつ、一定時間以上続いた場合にのみアンテナ１１の調整期間に移行したと判断してもよい。
【００９４】
ＣＰＵ２１が、中間周波増幅器１７の出力信号Ｓ１７が最大値になるように、ＤＡＣ２３を介して同調回路１２に与える制御電圧Ｖｃ１を変化させない場合は、ＣＰＵ２１は、受信強度検出部３０の検出結果が変動している期間を、アンテナ１１の調整期間であるとして検出してもよい。
【００９５】
放送波を受信して放送データを端末１２０にストリーミング送信する動作、及びアンテナ１１の調整期間を検出した場合に無音データを端末１２０に送信する動作は、第１の実施形態の放送受信装置１００と同様であり、第１の実施形態と同様の利点を有する。
【００９６】
なお、本実施形態では、アンテナ１１の調整されている期間に、無音データを端末１２０に送信するようにしたが、無音データの代わりに正弦波やビープ音やメロディ音や音声メッセージなど予め決められた音を表すデータを端末１２０に送信し、端末１２０でその予め決められた音を再生するようにしてもよい。
【００９７】
また、アンテナ１１の調整の開始時と終了時とに、無音や正弦波やビープ音やメロディ音や音声メッセージなど予め決められた音を表すデータを端末１２０に送信し、端末１２０でその予め決められた音を再生するようにしてもよい。
【００９８】
また、アンテナ１１の調整されている期間を検出した場合に、ＣＰＵ２１が、アンテナ１１の調整中であることを示す制御情報を組込んだ、ＴＣＰに対応したパケットを形成して端末１２０に送信し、端末１２０側の処理で無音や正弦波やビープ音やメロディ音や音声メッセージなど予め決められた音を発生させるようにしてもよい。或いは、端末１２０がディスプレイ等の表示手段を有する場合には、アンテナ１１の調整期間中にその表示手段に、アンテナ１１が調整中であることを表示するようにしてもよい。
【００９９】
また、本実施形態の放送受信装置１６０は、放送データに混合して、アンテナ１１の調整中であることを示す制御情報を送信してもよい。端末１２０は、放送データを正弦波やビープ音やメロディ音や音声メッセージなど予め決められた音やアンテナ１１が調整中であることを示す表示と混合して再生してもよい。
【０１００】
［第６の実施形態］
図１４に示される放送受信装置２００は、テレビ放送を受信する装置であり、受信した放送波を放送内容を示す放送データに変換し、図２に示すように、放送データを無線ＬＡＮルータ２１０を経由して端末２２０に無線でストリーミング送信する。放送データを受信した端末２２０は、放送内容をストリーミング再生して出力する。
【０１０１】
放送受信装置２００は、図１４に示されているように、アンテナ５１を備えている。アンテナ５１は方向や長さを調整できるように、設置されている。
アンテナ５１には、フィルタ５２の入力端子が接続されている。フィルタ５２は、可変帯域フィルタで構成され、与えられた制御信号に応じて通過帯域が希望チャネルの周波数帯域に設定される。
【０１０２】
フィルタ５２の出力端子には、高周波増幅器５３の入力端子が接続されている。高周波増幅器５３は、フィルタ５２の出力信号Ｓ５２を増幅する。
【０１０３】
高周波増幅器５３の出力端子には、２入力の混合器５４の一方の入力端子が接続されている。混合器５４の他方の入力端子には、発振器５５の出力端子が接続されている。発振器５５は、与えられた制御信号に応じた周波数で発振する。混合器５４は、高周波増幅器５３の出力信号Ｓ５３に発振器５５の出力信号を混合する。
【０１０４】
混合器５４の出力端子には、フィルタ５６の入力端子が接続されている。フィルタ５６は、混合器５４の出力信号Ｓ５４に対して濾波を行い、高周波信号Ｓ５３の周波数と発振器５５の発振周波数との差の周波数を持つ中間周波数信号Ｓ５６を抽出する。
【０１０５】
フィルタ５６の出力端子には、中間周波増幅器５７の入力端子が接続されている。中間周波増幅器５７は、中間周波数信号Ｓ５６を増幅する。
【０１０６】
中間周波増幅器５７の出力端子には、ＡＤＣ５８の入力端子が接続されている。ＡＤＣ５８は、与えられたクロックに同期して中間周波増幅器５７の出力信号をサンプリングしてデジタルデータに変換する。ＡＤＣ５８の出力端子には、復調部５９の入力端子が接続されている。復調部５９は、ＡＤＣ５８から与えられたデジタルデータに対して検波し、誤り訂正を行うと共にデコードし、映像データ及び音声データを含む放送データを生成する。
復調部５９の出力端子には、バッファ６０の入力端子が接続されている。バッファ６０は、復調部５９の出力するデジタルデータを、与えられたクロックに同期して順次取り込み保持する。
【０１０７】
バッファ６０には、ＣＰＵ６１が接続されている。ＣＰＵ６１には、ＲＡＭ及びＲＯＭで構成された記憶部６２が接続されている。
ＣＰＵ２１は、記憶部６２に事前に記憶されたデータ及び記憶部６２の記憶領域を利用して放送受信装置２００の全体を制御する。
【０１０８】
ＣＰＵ６１には、ＤＡＣ６３が接続されている。ＣＰＵ６１は、制御信号の電圧値を設定するために選局情報と対応させて記憶部６２に記憶させてあるデータを読み出し、ＤＡＣ６３に与える。ＤＡＣ６３は、ＣＰＵ６１から与えられたデータをアナログの制御信号に変換してフィルタ５２に供給する。これにより、フィルタ５２の通過帯域を選局情報に対応させて変化させることができる。
【０１０９】
ＣＰＵ６１には、ＤＡＣ６４が接続されている。ＣＰＵ６１は、制御信号の電圧値を設定するために選局情報と対応させて記憶部６２に記憶させてあるデータを読み出し、ＤＡＣ６４に与える。ＤＡＣ６４は、ＣＰＵ６１から与えられたデータをアナログの制御信号に変換して発振器５５に与える。これにより、発振器５５の発振周波数を選局情報に対応させて変化させることができる。また、ＣＰＵ６１は、ＡＤＣ５８及びバッファ６０に対してクロックを供給する。
【０１１０】
ＣＰＵ６１には、無線ＬＡＮ制御部６５が接続されている。
ＣＰＵ６１は、バッファ６０に保持されているデータを放送データとして読み出し、ＲＴＰに対応したパケットに組込み、無線ＬＡＮ制御部６５に与える。
【０１１１】
無線ＬＡＮ制御部６５は、放送データが組込まれたパケットを、ＩＥＥＥ８０２．１１に準拠した無線通信で無線ＬＡＮルータ２１０を経由して端末２２０に送信する。
【０１１２】
ＣＰＵ６１は、さらに、端末２２０に対して放送データ以外の制御情報も送受信する機能を有する。端末２２０に対して放送データ以外の制御情報を送信する場合、ＣＰＵ６１は、端末２２０に送信する制御情報をＴＣＰに対応したパケットに組込み、無線ＬＡＮ制御部６５に与える。無線ＬＡＮ制御部６５は、制御情報が組込まれたパケットをＩＥＥＥ８０２．１１に準拠した無線通信で無線ＬＡＮルータ２１０を経由して端末２２０に送信する。無線ＬＡＮ制御部６５は、端末２２０から制御情報が組込まれたパケットを受信した場合、受信したパケットをＣＰＵ６１に転送する。
【０１１３】
放送受信装置２００には、アンテナ５１が調整されていることを検出するための手段としてプッシュ釦６６が設けられている。プッシュ釦６６は、放送受信装置２００の筐体に設けられ、ユーザがプッシュ釦６６を押下することができるようになっている。プッシュ釦６６は、ＣＰＵ６１に接続され、プッシュ釦６６が押下されたことをＣＰＵ６１が検知できるようになっている。
【０１１４】
次に、放送受信装置２００の動作を説明する。
放送を受信するために、ユーザは端末２２０を操作し、受信目的の放送を指定する。端末２２０は、ユーザに指定された目的の放送に対応する選局情報を制御情報としてパケット化し、無線ＬＡＮルータ２１０を経由して無線ＬＡＮ制御部６５に送信する。無線ＬＡＮ制御部６５は、受信したパケットをＣＰＵ６１に転送する。
【０１１５】
ＣＰＵ６１は、無線ＬＡＮ制御部６５から受けたパケットに含まれる選局情報に対応して記憶部６２に記憶されている、制御信号の電圧値を設定するためのデータを読み出し、ＤＡＣ６３に与える。
【０１１６】
これと同時にＣＰＵ６１は、選局情報に対応して記憶部６２に記憶されている、制御信号の電圧値を設定するためのデータを読み出し、ＤＡＣ６４に与える。
【０１１７】
ＤＡＣ６３は、ＣＰＵ６１から与えられたデータをアナログの制御信号に変換してフィルタ５２に供給する。これにより、フィルタ５２の通過帯域が、選局情報に対応した帯域になる。フィルタ５２は、選局情報に対応した帯域の信号を抽出し、高周波信号Ｓ５２として出力する。
【０１１８】
ＤＡＣ６４は、ＣＰＵ６１から与えられたデータをアナログの制御信号に変換して発振器５５に供給する。これにより、発振器５５は、選局情報に応じた周波数で発振する。
【０１１９】
高周波増幅器５３は、フィルタ５２の出力する高周波信号Ｓ５２を増幅する。混合器５４は、高周波増幅器５３の出力する高周波信号Ｓ５３に発振器５５の出力信号を混合する。
【０１２０】
フィルタ５６は、混合器５４の出力信号Ｓ５４に対して濾波を行い、信号Ｓ５４から、高周波信号Ｓ５３の周波数と発振器５５の発振周波数との差の周波数を持つ中間周波数信号Ｓ５６を抽出する。
【０１２１】
中間周波増幅器５７は、中間周波数信号Ｓ５６を増幅し、中間周波数信号Ｓ５６を増幅した信号Ｓ５７を出力する。
ＡＤＣ５８は、ＣＰＵ６１から与えられたクロックに同期して中間周波増幅器５７の出力信号をサンプリングしてデジタルデータに変換する。復調部５９は、ＡＤＣ５８から与えられたデジタルデータに対して誤り訂正を行うと共にデコードし、映像データ及び音データを含む放送データを生成する。
バッファ６０は、ＣＰＵ６１から与えられるクロックに同期して復調部５９の出力する放送データを順次取得し、保持する。
【０１２２】
ＣＰＵ６１は、バッファ６０に保持されている放送データを読み出し、端末２２０に送信するためのパケットを形成する。
【０１２３】
ＣＰＵ６１は、形成したパケットを無線ＬＡＮ制御部６５に与える。無線ＬＡＮ制御部６５は、放送データが組込まれたパケットを、ＩＥＥＥ８０２．１１に準拠した無線通信で無線ＬＡＮルータ２１０を経由して端末２２０に送信する。以上により、放送データが端末２２０にストリーミング送信される。放送データを受信した端末２２０は、放送データを再生して出力する。
【０１２４】
ユーザがアンテナ５１の調整を行う場合、調整の開始時にプッシュ釦６６を押下する。また、アンテナ５１の調整が終了したときに、ユーザはプッシュ釦６６を押下する。これにより、ＣＰＵ６１は、アンテナ５１の調整されている期間を検知することができる。
【０１２５】
放送受信装置２００は、アンテナ５１の調整されている期間に、第１の実施形態と同様に動作する。
ＣＰＵ６１は、アンテナ５１の調整されている期間には、端末２２０に送信するパケットに、放送データではなく、再生したときに画像が表示されない無画像データを組込み、無線ＬＡＮ制御部６５に与え、無線ＬＡＮルータ２１０を経由して端末２２０に送信する。無画像データを受信した端末２２０は、無画像データを再生するので画像が表示されない。
【０１２６】
ＣＰＵ６１は、アンテナ５１の調整されている期間が終了したことを検知すると、無画像データの送信を終了し、放送データの送信を再開する。なお、この場合、放送データの送信は無画像データを送信する間、中断することになる。ＣＰＵ６１は、放送データの送信を再開した時点でバッファ６０に保持されている最も古い放送データを読み出し、端末２２０に送信するためのパケットを形成してもよいし、最も新しい放送データを読み出し、端末２２０に送信するためのパケットを形成してもよい。
【０１２７】
すなわち、放送データの送信中断中に送信すべきだったデータ（中断前の続き）を送信してもよいし、放送データの送信中断中に送信すべきだったデータを破棄してもよい。
【０１２８】
以上のように、本実施形態の放送受信装置２００は、プッシュ釦６６を設けてアンテナ５１の調整期間を検出し、アンテナ５１の調整期間に、無画像データを端末２２０に送信し、端末２２０に画像を表示させないようにしている。そのため、ユーザにアンテナ５１の調整が終わった後の音および画像がどこから始まったのかを明確に知らせることができ、アンテナ５１の調整が容易である。
【０１２９】
なお、本実施形態では、アンテナ５１の調整されている期間に、無画像データを端末２２０に送信するようにしたが、無画像データの代わりにアンテナ５１の調整期間中を示す静止画、文字列など予め決まった画像のデータ、あるいはそれらの画像データに無音データ、正弦波、ビープ音、メロディ音、音声メッセージなど予め決まった音声のデータを付加したデータを端末２２０に送信して表示・再生させるようにしてもよい。
【０１３０】
また、アンテナ５１の調整の開始時と終了時とに、静止画、文字列など予め決まった画像のデータ、あるいはそれらの画像データに無音データ、正弦波、ビープ音、メロディ音、音声メッセージなど予め決まった音声のデータを付加したデータを端末２２０に送信して表示・再生させるようにしてもよい。
【０１３１】
また、アンテナ５１の調整されている期間を検出した場合に、ＣＰＵ６１が、アンテナ５１の調整中であることを示す制御情報を組込んだ、ＴＣＰに対応したパケットを形成して端末２２０に送信し、端末２２０側の処理で無音や正弦波やビープ音やメロディ音や音声メッセージなど予め決められた音を発生させるようにしてもよい。或いは、端末２２０側の処理で予め決められた画像を表示させるようにしてもよい。
【０１３２】
また、本実施形態の放送受信装置２００は、放送データに混合して、アンテナ１１の調整中であることを示す制御情報を送信してもよい。端末２２０は、放送データを正弦波やビープ音やメロディ音や音声メッセージなど予め決められた音やアンテナ１１が調整中であることを示す表示と混合して表示・再生してもよい。
【０１３３】
また、上述の例ではユーザが調整の開始時と、終了時にそれぞれプッシュ釦６６を押下することにより、ＣＰＵ６１が、アンテナ５１の調整の開始と終了を検知するようにしたが、ＣＰＵ６１はプッシュ釦６６が押下されている間をアンテナ５１の調整されている期間として検出してもよい。この場合、ユーザが調整の開始時から終了時までプッシュ釦６６を押下しつづけることになる。
また、プッシュ釦６６を、放送受信装置２００を設置したときに放送受信装置２００が床と触れる面に配置し、ＣＰＵ６１はプッシュ釦６６の押下が解除されている間をアンテナ５１の調整されている期間として検出してもよい。この場合、例えばユーザがアンテナ５１を調整するために放送受信装置２００の向きを変更しようとして、放送受信装置２００を持ち上げると、プッシュ釦６６の押下が解除されることになる。
【０１３４】
なお、第６の実施形態の放送受信装置２００でも、プッシュ釦６６に代えて、タッチセンサ、加速度センサ、人感センサ、受信強度検出部を用いてもよい。
【０１３５】
［第７の実施形態］
図１５に示されている放送受信装置２６０は、第６の実施形態の放送受信装置２００のプッシュ釦６６の代わりに、中間周波増幅器５７の出力信号Ｓ５７のレベルを検出し、ＣＰＵ６１に与える受信強度検出部７０を備えている。他の構成は、放送受信装置２００と同様である。
【０１３６】
放送受信装置２６０では、中間周波増幅器５７の出力信号Ｓ５７の振幅レベルが受信強度検出部７０により検出され、ＣＰＵ６１に与えられる。ＣＰＵ６１は、中間周波増幅器５７の出力信号Ｓ５７が最大値になるように、ＤＡＣ２３を介してフィルタ５２に与える制御信号を変化させる。これにより、フィルタ５２の帯域が微調整され、中間周波増幅器５７の出力信号Ｓ５７が最大となるように制御され、安定化する。記憶部６２は、ユーザがアンテナ５１に触れていないときの制御信号を予め記憶している。また、記憶部６２はユーザがアンテナ５１に触れていないときの制御信号を所定の条件で更新する。
【０１３７】
ユーザがアンテナ５１の調整をするために、アンテナ５１に触れると、アンテナ５１のインダクタンスが変化する。これにより、中間周波増幅器５７の出力信号Ｓ５７のレベルが変化し、受信強度検出部７０の検出結果も変化する。
【０１３８】
このとき、ＣＰＵ６１は中間周波増幅器５７の出力信号Ｓ１７が最大値になるように、ＤＡＣ６３を介してフィルタ５２に与える制御信号を変化させることになる。ＣＰＵ６１は、ＤＡＣ６３を介してフィルタ５２に与える制御信号と、記憶部６２に記憶している、ユーザがアンテナ５１に触れていないときの制御信号とを比較することにより、制御信号の変化している期間を検出する。ＣＰＵ６１は制御信号の変化している期間をアンテナ５１の調整期間であるとして検出する。ＣＰＵ６１は、フィルタ５２に与える制御信号と、記憶部６２に記憶しているユーザがアンテナ５１に触れていないときの制御信号とを比較し、制御パラメータの差が所定のしきい値以上の場合に、アンテナ５１の調整期間であると判断する。制御信号のゆらぎによる誤判定をさけるため、制御パラメータの差が所定のしきい値以上でかつ、一定時間以上続いた場合にのみアンテナ５１の調整期間になったと判断してもよい。
【０１３９】
ＣＰＵ６１が、中間周波増幅器５７の出力信号Ｓ５７が最大値になるように、ＤＡＣ６３を介してフィルタ５２に与える制御信号を変化させない場合は、ＣＰＵ６１は、受信強度検出部７０の検出結果が変動している期間を、アンテナ５１の調整期間であるとして検出してもよい。
【０１４０】
放送波を受信して放送データを端末２２０にストリーミング送信する動作、及びアンテナ５１の調整期間を検出した場合に無音データを端末２２０に送信する動作は、第６の実施形態の放送受信装置２００と同様であり、第６の実施形態と同様の利点を有する。
【０１４１】
なお、本実施形態ではアンテナ５１の調整されている期間に、無画像データを端末２２０に送信するようにしたが、アンテナ５１の調整期間中を示す静止画、文字列など予め決まった画像のデータ、あるいはそれらの画像データに無音データ、正弦波、ビープ音、メロディ音、音声メッセージなど予め決まった音声のデータを付加したデータを端末２２０に送信して表示・再生させるようにしてもよい。
【０１４２】
また、アンテナ５１の調整の開始時と終了時とに、静止画、文字列など予め決まった画像のデータ、あるいはそれらの画像データに無音データ、正弦波、ビープ音、メロディ音、音声メッセージなど予め決まった音声のデータを付加したデータを端末２２０に送信して表示・再生させるようにしてもよい。
【０１４３】
また、アンテナ５１の調整されている期間を検出した場合に、ＣＰＵ６１が、アンテナ５１の調整中であることを示す制御情報を組込んだ、ＴＣＰに対応したパケットを形成して端末２２０に送信し、端末２２０側の処理で無音や正弦波やビープ音やメロディ音や音声メッセージなど予め決められた音を発生させるようにしてもよい。或いは、端末２２０側の処理で予め決められた画像を表示させるようにしてもよい。
【０１４４】
また、本実施形態の放送受信装置２６０は、放送データに混合して、アンテナ５１の調整中であることを示す制御情報を送信してもよい。端末２２０は、放送データを正弦波やビープ音やメロディ音や音声メッセージなど予め決められた音やアンテナ５１が調整中であることを示す表示と混合して表示・再生してもよい。
【０１４５】
以上に第１〜第７の実施形態について説明をしたが、本発明は、これらに限定されるものではなく、種々の変形が可能である。第１〜第７の実施形態を適宜組み合わせても良い。例えば、以下の（１）〜（９）に説明する内容であればよい。
【０１４６】
（１）アンテナで放送を受信し、その放送内容を示す放送データをパケット化し、パケット化した放送データを端末に無線ＬＡＮを介してストリーミング送信する放送受信装置であって、
前記アンテナが調整されている期間を検出する調整期間検出部と、
前記ストリーミング送信中に前記調整期間検出部により前記アンテナが調整されている期間が検出された場合、前記アンテナが調整されている期間の少なくとも初めまたは終わりに前記ストリーミング送信中の放送データを前記放送データとは異なる所定のデータに代えて、または、前記放送データに前記所定のデータを加えて送信する送信制御部と、
を備えることを特徴とする放送受信装置。
【０１４７】
（２）アンテナで放送を受信し、その放送内容を示す放送データをパケット化し、パケット化した放送データを端末に無線ＬＡＮを介してストリーミング送信し、前記端末で前記放送データをストリーミング再生させる放送受信装置であって、
前記アンテナが調整されている期間を検出する調整期間検出部と、
前記調整期間検出部により前記アンテナが調整されている期間が検出されている場合に前記端末に前記アンテナが調整されている期間が検出されていることを通知することにより、前記アンテナが調整されている期間に対応する期間で前記端末に前記放送データとは異なる所定データを再生させる通知部と、
を備えることを特徴とする放送受信装置。
（３）前記（１）又は（２）の放送受信装置において、
前記調整期間検出部は、押下されたことを検出することにより前記アンテナが調整されている期間を検出可能なプッシュ釦であることを特徴とする放送受信装置。
【０１４８】
（４）前記（１）又は（２）の放送受信装置において、
前記調整期間検出部は、触れられたことを検出することにより前記アンテナが調整されている期間を検出可能なタッチセンサであることを特徴とする放送受信装置。
【０１４９】
（５）前記（１）又は（２）の放送受信装置において、
前記調整期間検出部は、前記放送受信装置の振動を検出することにより前記アンテナが調整されている期間を検出可能な加速度センサであることを特徴とする放送受信装置。
【０１５０】
（６）前記（１）又は（２）の放送受信装置において、
前記調整期間検出部は、人の接近を検出することにより前記アンテナが調整されている期間を検出可能な人感センサであることを特徴とする放送受信装置。
【０１５１】
（７）前記（１）又は（２）の放送受信装置において、
前記アンテナでの前記放送の受信状態を検出する検出部と、
前記検出部の検出結果に基づき前記放送の受信状態がよくなるようにフィルタを制御する制御手段と、
を備え、
前記調整期間検出部は、前記検出部の検出結果に基づいて前記放送の受信状態が変動している期間を検出し、前記放送の受信状態が変動している期間を前記アンテナが調整されている期間として検出することを特徴とする放送受信装置。
【０１５２】
（８）アンテナで放送を受信し、その放送内容を示す放送データをパケット化し、パケット化した放送データを端末に無線ＬＡＮを介してストリーミング送信する放送受信方法であって、
前記アンテナが調整されている期間を検出する調整期間検出処理と、
前記ストリーミング送信中に前記調整期間検出処理により前記アンテナが調整されている期間が検出された場合、前記アンテナが調整されている期間の少なくとも初めまたは終わりに前記ストリーミング送信中の放送データを前記放送データとは異なる所定のデータに代えて、または、前記放送データに前記所定のデータを加えて送信する送信制御処理と、
を実施することを特徴とする放送受信方法。
【０１５３】
（９）アンテナで放送を受信し、その放送内容を示す放送データをパケット化し、パケット化した放送データを端末に無線ＬＡＮを介してストリーミング送信し、前記端末で前記放送データをストリーミング再生させる放送受信方法であって、
前記アンテナが調整されている期間を検出する調整期間検出処理と、
前記調整期間検出処理により前記アンテナが調整されている期間が検出されている場合に前記端末に前記アンテナが調整されている期間が検出されていることを通知することにより、前記アンテナが調整されている期間に対応する期間で前記端末に前記放送データとは異なる所定データを再生させる通知処理と、
を実施することを特徴とする放送受信方法。
【０１５４】
尚、本発明は上記した装置の機能をコンピュータに実現させるためのプログラムを含むものである。これらのプログラムは、記録媒体から読み取られてコンピュータに取り込まれてもよいし、通信ネットワークを介して伝送されてコンピュータに取り込まれてもよい。
【符号の説明】
【０１５５】
１１，５１      アンテナ
１２            同調回路
１３，５３      高周波増幅器
１４，５４      混合器
１５，５５      発振器
１６，５２，５６  フィルタ
１７，５７      中間周波増幅器
１８            復調回路
１９，５８      ＡＤＣ
２０，６０      バッファ
２１，６１      ＣＰＵ
２２，６２      記憶部
２５，６５      無線ＬＡＮ制御部
２６，６６      プッシュ釦
２７，６７      タッチセンサ
２８，６８      加速度センサ
２９，６９      人感センサ
３０，７０      受信強度検出部
５９            復調部
１００，１３０，１４０，１５０，１６０，２００，２３０，２４０，２５０，２６０          放送受信装置
１１０，２１０  無線ＬＡＮルータ
１２０，２２０  端末
【図１】
2013085197.tif 000003
【図２】
2013085197.tif 000004
【図３】
2013085197.tif 000005
【図４】
2013085197.tif 000006
【図５】
2013085197.tif 000007
【図６】
2013085197.tif 000008
【図７】
2013085197.tif 000009
【図８】
2013085197.tif 000010
【図９】
2013085197.tif 000011
【図１０】
2013085197.tif 000012
【図１１】
2013085197.tif 000013
【図１２】
2013085197.tif 000014
【図１３】
2013085197.tif 000015
【図１４】
2013085197.tif 000016
【図１５】
2013085197.tif 000017